【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
表示パネルを駆動する表示ドライバであって、
当該表示ドライバの外部から供給され、垂直同期期間の開始を指示する垂直同期期間開始指示に応答して垂直同期ソース信号を生成するように構成された同期抽出回路と、
前記垂直同期ソース信号に応答して内部垂直同期信号を生成するタイミング生成回路と、
前記内部垂直同期信号に同期して前記表示パネルを駆動する駆動回路
とを具備し、
前記タイミング生成回路は、前記垂直同期ソース信号のアサートに応答して前記内部垂直同期信号をアサートするように構成され、
前記同期抽出回路は、前記垂直同期期間開始指示を検出したときに前記垂直同期ソース信号をアサートするように構成され、且つ、
前記同期抽出回路は、前記垂直同期ソース信号の前回のアサートの後、所定時間が経過した場合、前記垂直同期ソース信号をアサートするように構成された
表示ドライバ。
【請求項２】
請求項１に記載の表示ドライバであって、
前記同期抽出回路は、
前記垂直同期期間開始指示を検出して垂直同期期間開始指示検出信号を生成するように構成された垂直同期期間開始指示検出部と、
カウント動作を行うカウンタを備えると共に、前記カウンタが保持するカウント値に応じて垂直同期疑似信号を生成するように構成された垂直同期疑似信号生成部と、
前記垂直同期期間開始指示検出信号と前記垂直同期疑似信号とに応じて前記垂直同期ソース信号を生成する論理回路部
とを備える
表示ドライバ。
【請求項３】
請求項２に記載の表示ドライバであって、
前記垂直同期期間開始指示検出部は、前記垂直同期期間開始指示を検出すると前記垂直同期期間開始指示検出信号をアサートするように構成され、
前記カウンタは、前記カウント値をカウントアップするように構成され、
前記垂直同期疑似信号生成部は、前記カウント値の所定の上限値への到達に応答して前記垂直同期疑似信号をアサートするように構成され、
前記論理回路部は、前記垂直同期期間開始指示検出信号のアサートと前記垂直同期疑似信号のアサートとに応答して前記垂直同期ソース信号をアサートするように構成され、
前記カウンタは、前記垂直同期期間開始指示検出信号のアサートに応答して前記所定のリセット値にリセットされると共に、前記垂直同期疑似信号のアサートに応答して前記カウント値が前記リセット値より大きい所定値にセットされるように構成された
表示ドライバ。
【請求項４】
請求項３に記載の表示ドライバであって、
前記論理回路部は、前記カウント値が所定の下限値に到達していない場合、前記垂直同期ソース信号をアサートしない
表示ドライバ。
【請求項５】
請求項２に記載の表示ドライバであって、
前記垂直同期期間開始指示検出部は、前記垂直同期期間開始指示を検出すると前記垂直同期期間開始指示検出信号をアサートするように構成され、
前記カウンタは、前記カウント値をカウントダウンするように構成され、
前記垂直同期疑似信号生成部は、前記カウント値の所定の下限値への到達に応答して前記垂直同期疑似信号をアサートするように構成され、
前記カウンタは、前記垂直同期期間開始指示検出信号のアサートに応答して前記所定のリセット値にリセットされると共に、前記垂直同期疑似信号のアサートに応答して前記カウント値が前記リセット値より小さい所定値にセットされるように構成された
表示ドライバ。
【請求項６】
請求項３に記載の表示ドライバであって、
前記論理回路部は、前記カウント値が所定の上限値に到達していない場合、前記垂直同期ソース信号をアサートしない
表示ドライバ。
【請求項７】
請求項３又は４に記載の表示ドライバであって、
更に、
前記上限値を保持する上限値レジスタを備える
表示ドライバ。
【請求項８】
請求項７に記載の表示ドライバであって、
前記上限値レジスタに保持されている前記上限値が、当該表示ドライバの外部から書き換え可能である
表示ドライバ。
【請求項９】
請求項１乃至８のいずれかに記載の表示ドライバであって、
前記垂直同期期間開始指示は、当該表示ドライバに供給される垂直同期パケットを含む
表示ドライバ。
【請求項１０】
請求項１に記載の表示ドライバであって、
前記同期抽出回路は、当該表示ドライバの外部から供給され、水平同期期間の開始を指示する水平同期期間開始指示に応答して水平同期ソース信号を生成するように構成され、
前記タイミング生成回路は、前記水平同期ソース信号に応答して内部水平同期信号を生成するように構成され、
前記駆動回路は、前記内部水平同期信号に同期して前記表示パネルを駆動し、
前記タイミング生成回路は、前記水平同期ソース信号のアサートに応答して前記内部水平同期信号をアサートするように構成され、
前記同期抽出回路は、前記水平同期期間開始指示を検出したときに前記水平同期ソース信号をアサートするように構成されると共に、前記水平同期ソース信号の前回のアサートの後、所定時間が経過した場合、前記水平同期ソース信号をアサートするように構成された
表示ドライバ。
【請求項１１】
表示パネルを駆動する表示ドライバであって、
当該表示ドライバの外部から供給され、水平同期期間の開始を指示する水平同期期間開始指示に応答して水平同期ソース信号を生成するように構成された同期抽出回路と、
前記水平同期ソース信号に応答して内部水平同期信号を生成するタイミング生成回路と、
前記内部水平同期信号に同期して前記表示パネルを駆動する駆動回路
とを具備し、
前記タイミング生成回路は、前記水平同期ソース信号のアサートに応答して前記内部水平同期信号をアサートするように構成され、
前記同期抽出回路は、前記水平同期期間開始指示を検出したときに前記水平同期ソース信号をアサートするように構成されると共に、前記水平同期ソース信号の前回のアサートの後、所定時間が経過した場合、前記水平同期ソース信号をアサートするように構成された
表示ドライバ。
【請求項１２】
請求項１１に記載の表示ドライバであって、
前記同期抽出回路は、
前記水平同期期間開始指示を検出して水平同期期間開始指示検出信号を生成するように構成された水平同期期間開始指示検出部と、
カウント動作を行うカウンタを備えると共に、前記カウンタが保持するカウント値に応じて水平同期疑似信号を生成するように構成された水平同期疑似信号生成部と、
前記水平同期期間開始指示検出信号と前記水平同期疑似信号とに応じて前記水平同期ソース信号を生成する論理回路部
とを備える
表示ドライバ。
【請求項１３】
請求項１２に記載の表示ドライバであって、
前記水平同期期間開始指示検出部は、前記水平同期期間開始指示を検出すると前記水平同期期間開始指示検出信号をアサートするように構成され、
前記カウンタは、前記カウント値をカウントアップするように構成され、
前記水平同期疑似信号生成部は、前記カウント値の所定の上限値への到達に応答して前記水平同期疑似信号をアサートするように構成され、
前記論理回路部は、前記水平同期期間開始指示検出信号のアサートと前記水平同期疑似信号のアサートとに応答して前記水平同期ソース信号をアサートするように構成され、
前記カウンタは、前記水平同期期間開始指示検出信号のアサートに応答して前記所定のリセット値にリセットされると共に、前記水平同期疑似信号のアサートに応答して前記カウント値が前記リセット値より大きい所定値にセットされるように構成された
表示ドライバ。
【請求項１４】
請求項１３に記載の表示ドライバであって、
前記論理回路部は、前記カウント値が所定の下限値に到達していない場合、前記水平同期ソース信号をアサートしない
表示ドライバ。
【請求項１５】
請求項１２に記載の表示ドライバであって、
前記水平同期期間開始指示検出部は、前記水平同期期間開始指示を検出すると前記水平同期期間開始指示検出信号をアサートするように構成され、
前記カウンタは、前記カウント値をカウントダウンするように構成され、
前記水平同期疑似信号生成部は、前記カウント値の所定の下限値への到達に応答して前記水平同期疑似信号をアサートするように構成され、
前記カウンタは、前記水平同期期間開始指示検出信号のアサートに応答して前記所定のリセット値にリセットされると共に、前記水平同期疑似信号のアサートに応答して前記カウント値が前記リセット値より小さい所定値にセットされるように構成された
表示ドライバ。
【請求項１６】
請求項１３に記載の表示ドライバであって、
前記論理回路部は、前記カウント値が所定の上限値に到達していない場合、前記水平同期ソース信号をアサートしない
表示ドライバ。
【請求項１７】
請求項１１乃至１６のいずれかに記載の表示ドライバであって、
前記水平同期期間開始指示は、当該表示ドライバに供給される水平同期パケットを含む
表示ドライバ。
【請求項１８】
請求項１乃至１７のいずれかに記載の表示ドライバと、
表示パネル
とを具備する
表示装置。